(57)【要約】【課題】導光体の長手方向を位置決めすることを目的とする。【解決手段】第１反射光用導光体２１ａは、端部としての軸部２８と本体部２２とを備え、端部および本体部２２を含めて直線状の棒状であり、第１反射光用光源３６ａからの光が端部から入り本体部２２から出る。第１反射光用導光体２１ａの端部は、本体部２２よりも細く、キャップ４５と接する当接面２９を有し、キャップ４５は光源側開口５１を有し、光源側開口５１は第１反射光用光源３６ａが配置され、第１反射光用光源３６ａは当接面２９と対向することを特徴とする。【選択図】図８
2018093293.tif 000002
【特許請求の範囲】
【請求項１】
端部と本体部とを備え、前記端部および前記本体部を含めて直線状の棒状であり、光源からの光が前記端部から入り前記本体部から出る導光体であって、
前記端部は、前記本体部よりも細く、位置決め部材と接する当接面を有し、
前記位置決め部材は開口を有し、前記開口には前記光源が配置され、前記光源は前記当接面と対向することを特徴とする導光体。
【請求項２】
前記端部のうち、軸方向にあってかつ前記当接面と交差する方向となる面が、前記位置決め部材と当接されることを特徴とする請求項１に記載の導光体。
【請求項３】
前記位置決め部材は、前記光源の光が透過されないことを特徴とする請求項１または２に記載の導光体。
【請求項４】
前記端部のうち、軸方向にあってかつ前記当接面と交差する方向となる面は、前記端部を軸方向から見た場合に、２組以上の平行な辺を有していることを特徴とする請求項１ないし３の何れか１項に記載の導光体。
【請求項５】
前記端部のうち、軸方向にあってかつ前記当接面と交差する方向となる面は、前記端部を軸方向から見た場合に、丸形状であることを特徴とする請求項１ないし４の何れか１項に記載の導光体。
【請求項６】
前記導光体は、前記当接面との間で面同士が当接される前記位置決め部材の被当接面によって位置決めされ、
前記当接面は、前記位置決め部材の前記開口を通して前記光源からの光が入る入射面を有することを特徴とする請求項１ないし５の何れか１項に記載の導光体。
【請求項７】
前記端部は、外周面に互いに平行な一対の側面の組を複数有することを特徴とする請求項１ないし６の何れか１項に記載の導光体。
【請求項８】
前記複数の組において、前記互いに平行な一対の側面間の距離は略同一であることを特徴とする請求項７に記載の導光体。
【請求項９】
前記端部は、外周面のうち前記互いに平行な一対の側面以外の面に、対向する一対の曲面を有することを特徴とする請求項７または８に記載の導光体。
【請求項１０】
前記端部を軸方向から見た場合に、前記一対の曲面は共通する仮想円の一部を構成する円弧であることを特徴とする請求項９に記載の導光体。
【請求項１１】
光源と、前記光源からの光を出射する導光体と、前記光源および前記導光体を収容するフレームと、を有する照明装置であって、
前記導光体は、請求項１ないし１０の何れか１項に記載の導光体であることを特徴とする照明装置。
【請求項１２】
複数の光源と、前記複数の光源からの光をそれぞれ被照明体に出射する２つの導光体と、前記複数の光源および前記２つの導光体とを収容するフレームと、を有する照明装置であって、
前記２つの導光体のうち、少なくとも１つの導光体は、請求項１ないし１０の何れか１項に記載の導光体であって、
前記２つの導光体はそれぞれ傾き角度が異なることを特徴とする照明装置。
【請求項１３】
前記当接面が前記位置決め部材に当接するように付勢する付勢部材を有することを特徴とする請求項１１または１２に記載の照明装置。
【請求項１４】
請求項１１ないし１３の何れか１項に記載の照明装置と、
前記照明装置から出射して被照明体によって反射された光を結像するロッドレンズアレイと、
前記ロッドレンズアレイによって結像された光を電気信号に変換するラインセンサと、を備えることを特徴とするイメージセンサユニット。
【請求項１５】
請求項１１ないし１３の何れか１項に記載の照明装置と、
前記照明装置から出射して被照明体によって反射された光を結像する集光体と、
前記集光体によって結像された光を電気信号に変換するイメージセンサと、を備えることを特徴とするイメージセンサユニット。
【請求項１６】
請求項１４または１５に記載のイメージセンサユニットと、
前記イメージセンサユニットと前記被照明体とを相対的に移動させる駆動部と、を備えることを特徴とする画像読取装置。
【請求項１７】
請求項１４または１５に記載のイメージセンサユニットと、
前記イメージセンサユニットと前記被照明体とを相対的に移動させる駆動部と、
前記イメージセンサユニットにより読取られた画像を記録媒体に形成する画像形成部と、を備えることを特徴とする画像形成装置。
【請求項１８】
請求項１４または１５に記載のイメージセンサユニットと、
前記イメージセンサユニットにより読取られた紙幣の画像を予め記憶されている紙幣の画像と比較して、前記イメージセンサユニットにより読取られた紙幣の真贋を識別する比較部と、を備えることを特徴とする紙葉類識別装置。
【発明の詳細な説明】
【技術分野】
【０００１】
本発明は、導光体、照明装置、イメージセンサユニット、画像読取装置、画像形成装置および紙葉類識別装置に関する。
【背景技術】
【０００２】
光源からの光を入射させて線状に出射する導光体が知られている。特許文献１には透過性部材に突出部を設け、突出部をＬＥＤ光源に嵌合させることによりＬＥＤ光源の取り付けの位置決め精度を向上させる読取装置が開示されている。
【先行技術文献】
【特許文献】
【０００３】
【特許文献１】特開２００１−２２３８５２号公報
【発明の概要】
【発明が解決しようとする課題】
【０００４】
しかしながら、特許文献１の読取装置は、透過性部材が長手方向に位置決めされていないという問題がある。
【課題を解決するための手段】
【０００５】
本発明の導光体は、端部と本体部とを備え、前記端部および前記本体部を含めて直線状の棒状であり、光源からの光が前記端部から入り前記本体部から出る導光体であって、前記端部は、前記本体部よりも細く、位置決め部材と接する当接面を有し、前記位置決め部材は開口を有し、前記開口には前記光源が配置され、前記光源は前記当接面と対向することを特徴とする。
【発明の効果】
【０００６】
本発明によれば、Ｘ軸方向を位置決めするために、長手方向に交差する方向にある当接面を位置決め部材に当接させても、位置決め部材が開口を有しているので、開口から光を導光体に入ることができる。
【図面の簡単な説明】
【０００７】
【図１】図１は、第１の実施形態の画像読取装置の要部構成を示す断面図である。
【図２】図２は、下側イメージセンサユニットの分解斜視図である。
【図３】図３は、下側イメージセンサユニットの拡大図である。
【図４】図４は、下側イメージセンサユニットの拡大図である。
【図５】図５は、第１反射光用導光体の構成を示す図である。
【図６】図６は、キャップの構成を示す図である。
【図７】図７は、下側イメージセンサユニットの平面図である。
【図８】図８は、下側イメージセンサユニットの断面図である。
【図９】図９は、下側イメージセンサユニットの一部を示す断面図である。
【図１０】図１０は、第２の実施形態のイメージセンサユニットの断面図である。
【図１１】図１１は、フラットベッド方式のスキャナの構成を示す斜視図である。
【図１２】図１２は、シートフィード方式のスキャナの構成を示す断面図である。
【図１３】図１３は、画像形成装置の外観を示す斜視図である。
【図１４】図１４は、画像形成装置内の画像形成部を示す斜視図である。
【発明を実施するための形態】
【０００８】
以下、図面に基づき、本発明に係る導光体、照明装置、イメージセンサユニットおよび画像読取装置の好適な実施形態について説明する。以下の説明においては、三次元の各方向を、Ｘ，Ｙ，Ｚの各矢印で示す。Ｘ方向が後述する導光体の長手方向であり、例えば主走査方向である。Ｙ方向が主走査方向に直角な副走査方向である。Ｚ方向が垂直方向（上下方向）である。
【０００９】
（第１の実施形態）
本実施形態の画像読取装置１００は、紙幣、有価証券などの紙葉類の真贋判定を行う紙葉類識別装置として機能する。
図１は、本実施形態のイメージセンサユニット部１０を備えた画像読取装置１００の要部構成を示す断面図である。ここで先ず、これらの全体構成について概略を説明する。本実施形態では、被照明体として典型的には紙幣Ｓとする。なお、紙幣Ｓに限らず、その他の対象物に対しても本発明は適用可能である。
【００１０】
画像読取装置１００の所定部には、紙幣Ｓの搬送方向Ｆに、対をなして紙幣Ｓを挟みながら搬送するための移送部としての搬送ローラ１０１Ａ、１０１Ｂと搬送ローラ１０２Ａ、１０２Ｂとが所定の間隔をおいて配置される。これらの搬送ローラ１０１Ａ、１０１Ｂおよび１０２Ａ、１０２Ｂは駆動機構により回転駆動されるようになっており、紙幣Ｓは所定の搬送速度でイメージセンサユニット部１０に対して搬送方向Ｆに相対的に移送される。
【００１１】
イメージセンサユニット部１０は、搬送ローラ１０１Ａ、１０１Ｂと搬送ローラ１０２Ａ、１０２Ｂとの間に、紙幣Ｓが通過可能な搬送路を構成するように間隙を備えて配置されており、搬送される紙幣Ｓの画像を読取る。イメージセンサユニット部１０は、紙幣Ｓの搬送路を挟んで、下側に第１のイメージセンサユニットとしての下側イメージセンサユニット１０Ａと、上側に第二のイメージセンサユニットとしての上側イメージセンサユニット１０Ｂとが配置される。本実施形態では、下側イメージセンサユニット１０Ａおよび上側イメージセンサユニット１０Ｂは、図１に示す中心線Ｏｃに対して対称な同一構成である。下側イメージセンサユニット１０Ａおよび上側イメージセンサユニット１０Ｂは、それぞれ紙幣Ｓに反射式読取り用の光（反射用光）を出射する反射光用照明部１１Ａを含む画像を読取る画像読取部１１と、紙幣Ｓに透過式読取り用の光（透過用光）を出射する透過光用照明部１２とを備えている。画像読取部１１（反射光用照明部１１Ａ）および透過光用照明部１２により紙幣Ｓからの反射光による画像情報の読取りと透過光による画像情報の読取りを実施することができる。下側イメージセンサユニット１０Ａの画像読取部１１に対して上側イメージセンサユニット１０Ｂの透過光用照明部１２が対向して配置される。また、下側イメージセンサユニット１０Ａの透過光用照明部１２に対して上側イメージセンサユニット１０Ｂの画像読取部１１が対向して配置される。したがって、本実施形態では、下側イメージセンサユニット１０Ａおよび上側イメージセンサユニット１０Ｂにより、紙幣Ｓの表裏両面を一回の搬送で読取ることを可能とする。
【００１２】
比較部１０３は下側イメージセンサユニット１０Ａおよび上側イメージセンサユニット１０Ｂにより読取られた画像情報を取得する。また、比較部１０３は記憶部１０４に記憶されている基準データを読出し、取得した画像情報と比較して、紙幣Ｓの真贋を識別する。記憶部１０４には予め真正な紙幣の画像が基準データとして記憶されている。
【００１３】
次に、下側イメージセンサユニット１０Ａおよび上側イメージセンサユニット１０Ｂの構成について説明する。下側イメージセンサユニット１０Ａおよび上側イメージセンサユニット１０Ｂは同一構成であるので、ここでは下側イメージセンサユニット１０Ａを取り上げて説明する。
図２は下側イメージセンサユニット１０Ａの分解斜視図である。図３は下側イメージセンサユニット１０Ａのうち長手方向における一方を拡大した斜視図である。図４は下側イメージセンサユニット１０Ａのうち長手方向における他方を拡大した斜視図である。
【００１４】
下側イメージセンサユニット１０Ａは、カバー部材１３、フレーム１４、導光部２０、光源部３５、キャップ４５、集光体６０、センサ基板６２、イメージセンサ６５などを備える。これらの構成部材のうち、導光部２０、光源部３５およびキャップ４５などは照明装置として機能する。また、カバー部材１３、フレーム１４、導光部２０、センサ基板６２およびイメージセンサ６５は、読取る紙幣Ｓの主走査方向の寸法に応じた長さに形成される。
カバー部材１３はフレーム１４内に塵が侵入するのを防止する。カバー部材１３は主走査方向を長手方向とする略平板状である。また、カバー部材１３はフレーム１４を上側から覆うように、例えば両面テープなどによりフレーム１４に固定される。カバー部材１３は例えばガラスが適用できる。ただし、カバー部材１３はガラスに限られず、例えばアクリルやポリカーボネートなどの透明な樹脂材料であってもよい。
【００１５】
フレーム１４は下側イメージセンサユニット１０Ａの各構成部材を収容する。フレーム１４は主走査方向を長手方向とする略直方体であり、側壁１５ａ〜１５ｄを有する。また、図１に示すように、フレーム１４の中央および両側には、導光部２０を収容する導光収容部１６ａ，１６ｂ，１６ｃがそれぞれフレーム１４の長手方向に沿って形成される。また、フレーム１４の中央寄りであって、導光収容部１６ａと導光収容部１６ｂとの間には、集光体６０を収容する集光体収容部１７がフレーム１４の長手方向に沿って形成される。また、フレーム１４の下側には、センサ基板６２を配置するための基板収容部１８がフレーム１４の長手方向に沿って形成される。フレーム１４は例えばポリカーボネートなどの樹脂材料が適用できる。
【００１６】
導光部２０は、光源部３５からの光を入射させて紙幣Ｓに対して線状の光を出射する。本実施形態の導光部２０は、第１反射光用導光体２１ａ、第２反射光用導光体２１ｂおよび透過光用導光体２１ｃを有する。第１反射光用導光体２１ａおよび第２反射光用導光体２１ｂは反射光用照明部（反射光用照明装置）１１Ａの一部を構成する。透過光用導光体２１ｃは透過光用照明部（透過光用照明装置）１２の一部を構成する。
本実施形態では、第１反射光用導光体２１ａ、第２反射光用導光体２１ｂおよび透過光用導光体２１ｃは同一構成であり、以下では第１反射光用導光体２１ａについて説明する。
【００１７】
第１反射光用導光体２１ａは主走査方向を長手方向とする略棒状である。第１反射光用導光体２１ａは例えばアクリル系の透明な樹脂材料が適用できる。
【００１８】
図５は第１反射光用導光体２１ａの構成を示す図である。具体的には、図５（ａ）は第１反射光用導光体２１ａを上側から見た図であり、図５（ｂ）は副走査方向から見た図であり、図５（ｃ）は主走査方向から見た図である。
第１反射光用導光体２１ａは、本体部２２と、軸部２８とを有する。第１反射光用導光体２１ａは、本体部２２および軸部２８を含めて直線状の棒状である。第１反射光用導光体２１ａでは、第１反射光用光源３６ａからの光が軸部２８から入り、本体部２２から紙幣Ｓに向かって出る。
本体部２２は略棒状であり、長手方向における一方の端から他方の端まで断面形状が同一あるいは略同一である。本体部２２は出射面２３、拡散面２４、第１反射面２５、第２反射面２６を有する。出射面２３は紙幣Ｓと対面する面である。出射面２３は本体部２２に入射された光を紙幣Ｓに向かって出射する。本実施形態では、出射面２３は平面状であるが、凸あるいは凹の曲面状であってもよい。拡散面２４は出射面２３と対向する面である。拡散面２４は本体部２２内に入射された光を出射面２３に向かって拡散させたり、本体部２２の長手方向に反射させたりする。拡散面２４は光を拡散させるためにシルク印刷等によるパターン形状が施されていてもよく、プリズムが形成されていてもよい。本実施形態では、拡散面２４は平面状であるが、凸あるいは凹の曲面状であってもよい。
【００１９】
第１反射面２５は、第１反射光用導光体２１ａの幅方向（副走査方向）における一方側で出射面２３と拡散面２４とを繋ぐ面である。第２反射面２６は、第１反射光用導光体２１ａの幅方向における他方側で出射面２３と拡散面２４とを繋ぐ面である。第１反射面２５および第２反射面２６は、本体部２２内に入射された光を本体部２２の長手方向に反射させる。本実施形態では、第１反射面２５および第２反射面２６は凸の曲面状であるが、複数の平面が連続的に繋がった曲面状であってもよく、平面状あるいは凹の曲面状であってもよい。
【００２０】
軸部２８は本体部２２の長手方向における一方の端に位置し、端部として構成される。具体的には、軸部２８は本体部２２の一方の端面２７の略中央から突出する。軸部２８は本体部２２の長手方向に沿った軸状であり、軸方向に沿って一方の端から他方の端まで断面形状が同一あるいは略同一である。軸部２８の軸方向における長さはＬ１である。軸部２８は断面形状が本体部２２の断面形状よりも小さく、本体部２２よりも細い。
また、軸部２８は、一方の端である端面２９が当接面および入射面として機能する。当接面は光源部３５側に位置するキャップ４５と当接することで、光源部３５と第１反射光用導光体２１ａとの間の間隔を一定の距離に規制する。入射面は光源部３５からの光を軸部２８および本体部２２内に入射させる。
【００２１】
図５（ｃ）に示すように、軸部２８は、軸方向にあってかつ端面２９と交差する方向となる面として、第１曲面３０ａ、第２曲面３０ｂ、第１側面３２ａ、第２側面３２ｂ、第３側面３２ｃおよび第４側面３２ｄを有する。
第１曲面３０ａおよび第２曲面３０ｂは凸の曲面状である。第１曲面３０ａおよび第２曲面３０ｂがキャップ４５に近接あるいは接することにより第１反射光用導光体２１ａの上下方向が位置決めされる。
具体的に、第１曲面３０ａは軸部２８の外周面のうち出射面２３側に形成され、第２曲面３０ｂは軸部２８の外周面のうち拡散面２４側に形成される。すなわち、第１曲面３０ａと第２曲面３０ｂとは対向して配置される。また、図５（ｃ）に示すように軸部２８を軸方向から見た場合に、第１曲面３０ａおよび第２曲面３０ｂはそれぞれ共通する仮想円Ｃの一部を構成する。ここで、仮想円Ｃの中心を通る軸方向の軸線をＯａとする。
【００２２】
第１側面３２ａ、第２側面３２ｂ、第３側面３２ｃおよび第４側面３２ｄは第１曲面３０ａと第２曲面３０ｂとの間に位置する。第１側面３２ａ〜第４側面３２ｄは平面状である。第１側面３２ａ〜第４側面３２ｄはキャップ４５に近接あるいは接することにより第１反射光用導光体２１ａの幅方向が位置決めされる。
第１側面３２ａおよび第２側面３２ｂは軸部２８の外周面のうち第１反射面２５側に形成される。具体的には、第１側面３２ａは第１曲面３０ａと第２側面３２ｂとの間に位置し、第２側面３２ｂは第２曲面３０ｂと第１側面３２ａとの間に位置する。
第３側面３２ｃおよび第４側面３２ｄは軸部２８の外周面のうち第２反射面２６側に形成される。具体的には、第３側面３２ｃは第１曲面３０ａと第４側面３２ｄとの間に位置し、第４側面３２ｄは第２曲面３０ｂと第３側面３２ｃとの間に位置する。
【００２３】
また、図５（ｃ）に示すように軸部２８を軸方向から見た場合、第１側面３２ａの辺と第４側面３２ｄの辺とが平行である。本実施形態では、第１側面３２ａの辺と第４側面３２ｄの辺とは軸線Ｏａに対して点対称に位置する。また、第２側面３２ｂの辺と第３側面３２ｃの辺とが平行である。本実施形態では、第２側面３２ｂの辺と第３側面３２ｃの辺とは軸線Ｏａに対して点対称に位置する。このように軸部２８は複数の平行な辺の組を複数（２組）有している。
また、本実施形態の軸部２８は辺に限られず、側面自体が平行である。具体的には、第１側面３２ａと第４側面３２ｄとが平行であり、第２側面３２ｂと第３側面３２ｃとが平行である。このように軸部２８は平行な側面同士の組を複数（２組）有している。
ここでは、第１反射光用導光体２１ａについて説明したが、第２反射光用導光体２１ｂおよび透過光用導光体２１ｃも同一の構成である。なお、第２反射光用導光体２１ｂは、第１反射光用導光体２１ａの長手方向を逆に入れ替えているために、図４に示すように本体部２２の長手方向の他方の端に軸部２８を有している。
【００２４】
光源部３５は、光を発光することで導光部２０を介して紙幣Ｓに光を出射する。本実施形態の光源部３５は、第１反射光用光源３６ａ、第２反射光用光源３６ｂおよび透過光用光源３６ｃを有する。第１反射光用光源３６ａおよび第２反射光用光源３６ｂは反射光用照明部１１Ａの一部を構成する。透過光用光源３６ｃは透過光用照明部１２の一部を構成する。
本実施形態では、第１反射光用光源３６ａ、第２反射光用光源３６ｂおよび透過光用光源３６ｃは同一構成であり、以下では第１反射光用光源３６ａについて説明する。
【００２５】
第１反射光用光源３６ａは、第１反射光用導光体２１ａの軸部２８側に位置する。本実施形態の第１反射光用光源３６ａは発光素子としての複数（ここでは４つ）のＬＥＤチップ３７ｒ、３７ｇ、３７ｂ、３７ｉｒを有する。ＬＥＤチップ３７ｒ、３７ｇ、３７ｂはそれぞれ可視光である赤、緑、青（以下、ＲＧＢともいう）の波長の光を発する。また、ＬＥＤチップ３７ｉｒは赤外光（以下、ＩＲともいう）の波長の光を発する。なお、赤外光などの不可視光の波長を発するのは、不可視インクによって印刷された紙幣Ｓの画像を読取るためである。また、第１反射光用光源３６ａは紫外光の波長を発するＬＥＤチップを有していてもよい。
【００２６】
第１反射光用光源３６ａは平板状の回路基板４１に実装される。回路基板４１は実装面４２と、複数（ここでは５つ）の外部接続用パッド４３などを有する。回路基板４１は第１反射光用導光体２１ａの軸部２８側で実装面４２が軸部２８の軸方向と直交するように配置される。実装面４２は第１反射光用光源３６ａを実装する。外部接続用パッド４３は基板内の回路パターンを介して第１反射光用光源３６ａと電気的に接続される。
【００２７】
また、回路基板４１にはキャップ４５が設けられる。キャップ４５は回路基板４１の実装面４２に対して接着剤や係合部によって固定される。キャップ４５は略箱状であり、例えば光を反射しやすい樹脂材料あるいは第１反射光用光源３６ａの光が透過されない材料が適用できる。キャップ４５は第１反射光用導光体２１ａの軸部２８を覆うように保持することで、第１反射光用導光体２１ａを第１反射光用光源３６ａに対して位置決めする位置決め部材として機能する。
【００２８】
図６はキャップ４５の構成を示す図である。具体的には、図６（ａ）はキャップ４５を上側から見た図であり、図６（ｂ）は副走査方向から見た図であり、図６（ｃ）は主走査方向から見た図であり、図６（ｄ）はＩ−Ｉ線断面図である。
キャップ４５は、位置決め部４６と、被当接部５０とを有する。
位置決め部４６は軸部２８を保持する。位置決め部４６は矩形の筒状であって一方の端に被当接部５０が一体で形成され、他方の端に導光体側開口４７を有する。位置決め部４６は開口方向に沿って断面形状が同一あるいは略同一である。位置決め部４６は導光体側開口４７から第１反射光用導光体２１ａの軸部２８が挿入可能である。ここで、位置決め部４６の開口方向における長さがＬ２である。軸部２８の長さＬ１と位置決め部４６の長さＬ２との関係は、Ｌ１＞Ｌ２である。
【００２９】
位置決め部４６は内周面に、第１内面４８ａ、第２内面４８ｂ、第３内面４８ｃ、第４内面４８ｄを有する。第１内面４８ａ〜第４内面４８ｄは平面状である。図６（ｃ）に示すようにキャップ４５を軸方向から見た場合、第１内面４８ａの辺と第２内面４８ｄの辺とが平行である。また、第３内面４８ｃの辺と第４内面４８ｄの辺とが平行である。
本実施形態では、第１内面４８ａおよび第２内面４８ｂは内周面のうち上下に位置し、互いに対面し、かつ平行である。ここで、第１内面４８ａと第２内面４８ｂとの間の距離Ｄは、軸部２８の第１曲面３０ａおよび第２曲面３０ｂに共通する仮想円Ｃの直径と略等しい。したがって、位置決め部４６に第１反射光用導光体２１ａの軸部２８を挿入したときに、第１内面４８ａに軸部２８の第１曲面３０ａが近接あるいは接し、第２内面４８ｂに軸部２８の第２曲面３０ｂが近接あるいは接する。すなわち、第１内面４８ａおよび第２内面４８ｂは、第１反射光用導光体２１ａの上下方向の位置を第１反射光用光源３６ａに対して位置決めする。このように、第１内面４８ａおよび第２内面４８ｂは位置決め面として機能する。
【００３０】
一方、第３内面４８ｃおよび第４内面４８ｄは内周面のうち幅方向に位置し、互いに対面し、かつ平行である。ここで、第３内面４８ｃと第４内面４８ｄとの間の距離Ｗ３は、軸部２８の第１側面３２ａと第４側面３２ｄとの間の距離Ｗ１および軸部２８の第２側面３２ｂと第３側面３２ｃとの間の距離Ｗ２と略等しい。したがって、位置決め部４６に第１反射光用導光体２１ａの軸部２８を挿入したときに、第３内面４８ｃに軸部２８の第１側面３２ａまたは第２側面３２ｂが近接あるいは接し、第４内面４８ｄに軸部２８の第３側面３２ｃまたは第４側面３２ｄが近接あるいは接する。すなわち、第３内面４８ｃおよび第４内面４８ｄは、第１反射光用導光体２１ａの幅方向の位置を第１反射光用光源３６ａに対して位置決めする。このように第３内面４８ｃおよび第４内面４８ｄは位置決め面として機能する。
【００３１】
被当接部５０は軸部２８の端面２９の一部が当接される。被当接部５０は平板状であって、位置決め部４６を一方の端側から閉塞するように位置決め部４６に一体で形成される。被当接部５０は中央に光源部３５からの光を通過させるための孔である光源側開口５１を有する。光源側開口５１は、矩形状であって断面形状が位置決め部４６の導光体側開口４７よりも小さい。図６（ｃ）に示すように位置決め部４６側から見ると、被当接部５０は光源側開口５１の周囲に被当接面５２を有する。被当接面５２は位置決め部４６の開口方向に対して直交する平面状である。ここで、軸部２８の長さＬ１と位置決め部４６の長さＬ２は、Ｌ１＞Ｌ２であることから、位置決め部４６に第１反射光用導光体２１ａの軸部２８を挿入すると、被当接面５２と軸部２８の端面２９とが面同士で当接される。すなわち、位置決め部４６の被当接面５２は、第１反射光用導光体２１ａの長手方向（Ｘ軸方向）の位置を第１反射光用光源３６ａに対して位置決めする。このように被当接面５２は位置決め面として機能する。
【００３２】
また、回路基板４１は付勢部材としてクッション部材５５を有する。クッション部材５５は回路基板４１のうち実装面４２の反対側の面に接着剤などを用いて固定される。クッション部材５５はフレーム１４の側壁１５ｃに当接する。クッション部材５５は、例えばポリウレタンなどの樹脂材料が適用できる。
ここでは、第１反射光用光源３６ａについて説明したが、第２反射光用光源３６ｂおよび透過光用光源３６ｃも同一構成である。また、第２反射光用光源３６ｂおよび透過光用光源３６ｃも、キャップ４５およびクッション部材５５が固定される。なお、第２反射光用光源３６ｂは、図４に示すように第２反射光用導光体２１ｂの軸部２８側に位置する。
【００３３】
集光体６０は、紙幣Ｓからの反射光および紙幣Ｓからの透過光をイメージセンサ６５上に結像する。集光体６０は、例えば複数の正立等倍結像型の結像素子（ロッドレンズ）が主走査方向に直線状に配列されるロッドレンズアレイが適用できる。なお、集光体６０はイメージセンサ６５上に結像できればよく、上述した構成に限定されない。集光体６０には各種マイクロレンズアレイなど、従来公知の各種集光機能を有する光学部材が適用できる。
【００３４】
センサ基板６２は主走査方向に長い平板状に形成される。センサ基板６２の実装面６３は、上下方向に対して直交する。センサ基板６２の実装面６３には、光源部３５を発光させたり、イメージセンサ６５を駆動させたりするための駆動回路などが実装される。また、センサ基板６２の長手方向における一方の端部には接続部６４ａおよび接続部６４ｃが形成され、他方の端部には接続部６４ｂが形成される。接続部６４ａ、６４ｂ、６４ｃは副走査方向に長い長孔状である。接続部６４ａ、６４ｂ、６４ｃにはそれぞれ第１反射光用光源３６ａ、第２反射光用光源３６ｂおよび透過光用光源３６ｃの各回路基板４１が挿入される。
【００３５】
イメージセンサ６５は、センサ基板６２に実装され、集光体６０の下側に配置される。イメージセンサ６５は、ラインセンサであって、下側イメージセンサユニット１０Ａの読取りの解像度に応じた複数の光電変換素子から構成されるイメージセンサＩＣ６６の所定数を実装面６３上に主走査方向に直線状に配列して実装される。イメージセンサ６５は、紙幣Ｓからの反射光および透過光が集光体６０によって結像された光を受光して電気信号に変換する。なお、イメージセンサ６５は、紙幣Ｓからの反射光および透過光を電気信号に変換できるものであればよく、上述した構成に限定されない。イメージセンサＩＣ６６には、従来公知の各種イメージセンサＩＣが適用できる。
【００３６】
次に、上述したように構成されるイメージセンサユニット部１０の組み立て方法について説明する。下側イメージセンサユニット１０Ａおよび上側イメージセンサユニット１０Ｂは同一構成であり、ここでは下側イメージセンサユニット１０Ａについて説明する。
まず、下側イメージセンサユニット１０Ａの構成部材を用意する。
ここでは、図３および図４に示すように、各回路基板４１の実装面４２に予め第１反射光用光源３６ａ、第２反射光用光源３６ｂおよび透過光用光源３６ｃを実装する。次に、第１反射光用光源３６ａ、第２反射光用光源３６ｂおよび透過光用光源３６ｃを覆うように各実装面４２にコート樹脂６８を塗布する。次に、キャップ４５を各実装面４２の所定の位置に接着剤や係合部を用いて固定する。このとき、各キャップ４５の光源側開口５１内に、コート樹脂６８と、第１反射光用光源３６ａ、第２反射光用光源３６ｂまたは透過光用光源３６ｃとを位置させる。更に、各回路基板４１の実装面４２の反対面には、クッション部材５５を接着剤を用いて固定する。
【００３７】
次に、第１反射光用導光体２１ａ、第２反射光用導光体２１ｂおよび透過光用導光体２１ｃの軸部２８をキャップ４５の位置決め部４６内に挿入する。このとき、第１反射光用導光体２１ａおよび第２反射光用導光体２１ｂでは、軸部２８の第１側面３２ａおよび第４側面３２ｄをそれぞれ位置決め部４６の第３内面４８ｃおよび第４内面４８ｄに対応させて挿入する。一方、透過光用導光体２１ｃでは、軸部２８の第２側面３２ｂおよび第３側面３２ｃをそれぞれ位置決め部４６の第３内面４８ｃおよび第４内面４８ｄに対応させて挿入する。
【００３８】
次に、集光体６０をフレーム１４の集光体収容部１７に収容する。
その後、第１反射光用導光体２１ａ、第２反射光用導光体２１ｂおよび透過光用導光体２１ｃをそれぞれフレーム１４の導光収容部１６ａ、１６ｂ、１６ｃに収容すると共に、各回路基板４１をフレーム１４に収容する。
次に、カバー部材１３をフレーム１４の上側から覆うようにフレーム１４の上面に固定すると共に、センサ基板６２を基板収容部１８に収容する。このとき、センサ基板６２の長手方向における一方の接続部６４ａおよび接続部６４ｃに、フレーム１４から突出している第１反射光用光源３６ａおよび透過光用光源３６ｃの各回路基板４１を挿入する。一方、センサ基板６２の長手方向における他方の接続部６４ｂに、フレーム１４から突出している第２反射光用光源３６ｂの回路基板４１を挿入する。
【００３９】
次に、センサ基板６２の接続部６４ａ、６４ｂ、６４ｃから露出された各回路基板４１の外部接続用パッド４３をセンサ基板６２にそれぞれ半田付けする。最後に、基板収容部１８に収容されたセンサ基板６２を、基板収容部１８内に固定することで、下側イメージセンサユニット１０Ａが製造される。
図７は、製造された下側イメージセンサユニット１０Ａの平面図である。図７に示すように、下側イメージセンサユニット１０Ａは、概して長方体に形成され、その長手方向が主走査方向となり、これに直交する副走査方向は紙幣Ｓの搬送方向Ｆとなる。
【００４０】
次に、第１反射光用導光体２１ａの長手方向における位置決めについて説明する。
図８は、図７に示すＩＩ−ＩＩ線で切断した断面図である。図９は、図７に示すＩＩＩ−ＩＩＩ線で切断した断面の一部を抜き出した図である。
図８に示すように、第１反射光用導光体２１ａの軸部２８の端面２９の一部と第１反射光用光源３６ａとが対向している。また、第１反射光用導光体２１ａの軸部２８の端面２９の一部がキャップ４５の被当接面５２に当接する。一方、第１反射光用導光体２１ａの本体部２２であって長手方向における他方の端がフレーム１４の側壁１５ｄに当接する。このとき、クッション部材５５は回路基板４１とフレーム１４の側壁１５ｃとの間で圧縮された状態となる。したがって、キャップ４５はクッション部材５５の元に戻ろうとする力によって第１反射光用導光体２１ａ側に付勢されることから、キャップ４５の被当接面５２と軸部２８の端面２９の一部とが常に当接する。ここで、キャップ４５は回路基板４１に固定されていることから、回路基板４１に実装された第１反射光用光源３６ａと第１反射光用導光体２１ａの端面２９との間の間隔は常に一定である。
【００４１】
なお、環境温度によって第１反射光用導光体２１ａが伸縮した場合には、クッション部材５５が第１反射光用導光体２１ａの伸縮量に応じて圧縮する量が変化するだけであって、キャップ４５の被当接面５２と軸部２８の端面２９の一部とが常に当接している。したがって、第１反射光用導光体２１ａが伸縮した場合であっても、第１反射光用光源３６ａと第１反射光用導光体２１ａの端面２９との間の間隔は常に一定である。
ここでは、第１反射光用光源３６ａについて説明したが、第２反射光用光源３６ｂおよび透過光用光源３６ｃも同様である。
【００４２】
次に、第１反射光用導光体２１ａおよび透過光用導光体２１ｃの長手方向に直交する方向の位置決めについて説明する。
図９に示すように、第１反射光用導光体２１ａ側では、キャップ４５の位置決め部４６のうち第１内面４８ａに軸部２８の第１曲面３０ａが近接あるいは接し、第２内面４８ｂに軸部２８の第２曲面３０ｂが近接あるいは接する。したがって、第１内面４８ａおよび第２内面４８ｂは、第１反射光用導光体２１ａの上下方向を位置決めする。
また、キャップ４５の位置決め部４６のうち第３内面４８ｃに軸部２８の第１側面３２ａが近接あるいは接し、第４内面４８ｄに軸部２８の第４側面３２ｄが近接あるいは接する。したがって、第３内面４８ｃおよび第４内面４８ｄは、第１反射光用導光体２１ａの幅方向を位置決めする。このとき、第１反射光用導光体２１ａは出射面２３が傾いた状態で位置決めされる。すなわち、第１反射光用導光体２１ａから出射される主な光の方向は、紙幣Ｓの表面に向かって斜めに指向する。本実施形態の第１反射光用導光体２１ａは、拡散面２４が、上下方向に直交する平面（仮想平面Ｆｈ）に対して角度α（略３０°）で傾いている。
【００４３】
また、図９に示すように、透過光用導光体２１ｃでも同様に、キャップ４５の位置決め部４６のうち第１内面４８ａに軸部２８の第１曲面３０ａが近接あるいは接し、第２内面４８ｂに軸部２８の第２曲面３０ｂが近接あるいは接する。したがって、第１内面４８ａおよび第２内面４８ｂは、透過光用導光体２１ｃの上下方向を位置決めする。
また、キャップ４５の位置決め部４６のうち第３内面４８ｃに軸部２８の第２側面３２ｂが近接あるいは接し、第４内面４８ｄに軸部２８の第３側面３２ｃが近接あるいは接する。したがって、第３内面４８ｃおよび第４内面４８ｄは、透過光用導光体２１ｃの幅方向を位置決めする。このとき、透過光用導光体２１ｃは第１反射光用導光体２１ａと異なり、出射面２３が略水平な状態で位置決めされる。すなわち、透過光用導光体２１ｃから出射される主な光の方向は、紙幣Ｓの表面に向かって直交するように指向する。本実施形態の透過光用導光体２１ｃは、拡散面２４が、上下方向に直交する平面（仮想平面Ｆｈ）に対して角度β（略０°）である。
このように、キャップ４５は同一構成の第１反射光用導光体２１ａと透過光用導光体２１ｃとを異なる姿勢、すなわち異なる角度に位置決めすることができる。
【００４４】
ここでは、第１反射光用導光体２１ａと透過光用導光体２１ｃについて説明したが、第２反射光用導光体２１ｂの長手方向に直交する方向の位置決めについても、第１反射光用導光体２１ａと同様である。
なお、図９では、軸部２８のうちキャップ４５の被当接面５２と重なり合う領域をグレーの着色部とし、キャップ４５の光源側開口５１と重なり合う領域を非着色部としている。着色部と非着色部とを軸部２８の端面２９として置き換えたときに、着色部は被当接面５２に当接する当接面に相当し、非着色部は光源からの光が入射する入射面に相当する。図９に示すように、異なる姿勢で位置決めされた第１反射光用導光体２１ａと透過光用導光体２１ｃとでは、当接面と入射面との位置がそれぞれ異なる。
【００４５】
次に、上述したように構成される画像読取部１１の動作について説明する。画像読取部１１は搬送ローラ１０１Ａ、１０１Ｂおよび１０２Ａ、１０２Ｂにより所定の搬送速度で搬送方向Ｆに搬送される紙幣Ｓに対し、第１反射光用光源３６ａおよび第２反射光用光源３６ｂのＬＥＤチップ３７ｒ、３７ｇ、３７ｂ、３７ｉｒを順次、発光させる。第１反射光用光源３６ａおよび第２反射光用光源３６ｂからの光はキャップ４５の光源側開口５１を通して軸部２８の入射面（図９に示す第１反射光用導光体２１ａ側の非着色部に相当）から軸部２８に入射され、本体部２２側に向かって進行する。このとき、キャップ４５が軸部２８を覆っていることから光が軸部２８の外側に漏れることを防止する。本体部２２内の光は第１反射光用導光体２１ａおよび第２反射光用導光体２１ｂの出射面２３から、図１において代表的に示される矢印Ｅ１、Ｅ２のように紙幣Ｓの読取位置Ｏ１を指向して反射用光として出射される。すなわち、反射用光は集光体６０を挟んだ２方向から紙幣Ｓの一方の面（下面）に対して、主走査方向に亘って線状に出射される。
反射用光は紙幣Ｓによって反射されることで反射光として、集光体６０を介してイメージセンサ６５上に結像される。この結像された反射光は、イメージセンサ６５により電気信号に変換された後、図示しない信号処理部において処理される。
【００４６】
このようにしてＲＧＢ、ＩＲ全ての反射光を１走査ライン分読取ることで、紙幣Ｓの主走査方向における１走査ラインの読取動作を完了する。１走査ラインの読取動作終了後、紙幣Ｓの副走査方向への移動に伴い、上述と同様に次の１走査ライン分の読取動作が行われる。このように紙幣Ｓを搬送方向Ｆに搬送しながら１走査ライン分ずつ読取動作を繰り返すことで、紙幣Ｓの全面が順次走査されて反射光による画像情報の読取りが実施される。
なお、上側イメージセンサユニット１０Ｂの画像読取部１１についても他方の面（上面）に対して同様に実施される。
【００４７】
次に、上述したように構成される透過光用照明部１２の動作について説明する。透過光用照明部１２は搬送ローラ１０１Ａ、１０１Ｂおよび１０２Ａ、１０２Ｂにより所定の搬送速度で搬送方向Ｆに搬送される紙幣Ｓに対し、透過光用光源３６ｃのＬＥＤチップ３７ｒ、３７ｇ、３７ｂ、３７ｉｒを順次、発光させる。透過光用光源３６ｃからの光はキャップ４５の光源側開口５１を通して軸部２８の端面２９の入射面（図９に示す透過光用導光体２１ｃ側の非着色部に相当）から軸部２８に入射され、本体部２２側に向かって進行する。透過光用導光体２１ｃの出射面２３から、図１において代表される矢印Ｅ３のように紙幣Ｓの読取位置Ｏ２を指向して透過用光として出射される。すなわち、透過用光は紙幣Ｓの一方の面（下面）に対して、主走査方向に亘って線状に出射される。
透過用光は紙幣Ｓを透過することで透過光として、上側イメージセンサユニット１０Ｂの集光体６０を介してイメージセンサ６５上に結像される。この結像された透過光は、上側イメージセンサユニット１０Ｂのイメージセンサ６５より電気信号に変換された後、図示しない信号処理部において処理される。
【００４８】
このようにしてＲＧＢ、ＩＲ全ての透過光を１走査ライン分読取ることで、紙幣Ｓの主走査方向における１走査ラインの読取動作を完了する。１走査ラインの読取動作終了後、紙幣Ｓの副走査方向への移動に伴い、上述と同様に次の１走査ライン分の読取動作が行われる。このように紙幣Ｓを搬送方向Ｆに搬送しながら１走査ライン分ずつ読取動作を繰り返すことで、紙幣Ｓの全面が順次走査されて透過光による画像情報の読取りが実施される。
なお、上側イメージセンサユニット１０Ｂの透過光用照明部１２についても他方の面（上面）に対して同様に実施される。
【００４９】
以上のように、本実施形態の第１反射光用導光体２１ａは、本体部２２と、端部として構成される軸部２８とを備える。軸部２８は、本体部２２よりも細く、キャップ４５と接する当接面として機能する端面２９を有する。軸部２８がキャップ４５と当接することで、第１反射光用導光体２１ａの長手方向（Ｘ軸方向）が位置決めされ、第１反射光用導光体２１ａと第１反射光用光源３６ａとの間の間隔を一定することができる。また、キャップ４５は光源側開口５１を有し、光源側開口５１には第１反射光用光源３６ａが配置され、第１反射光用光源３６ａは当接面と対向する。したがって、軸部２８がキャップ４５と当接されていても、キャップ４５が光源側開口５１を有することで、第１反射光用光源３６ａの光を光源側開口５１から第１反射光用導光体２１ａに入射させることができる。
また、本実施形態の第１反射光用導光体２１ａの軸部２８は、軸方向にあってかつ端面２９と交差する方向となる面が、キャップ４５と当接される。したがって、第１反射光用導光体２１ａは長手方向と共に、端面２９と交差する方向に対しても位置決めされる。
また、本実施形態の第１反射光用導光体２１ａは、軸部２８が本体部２２よりも細いことから、軸部２８のうち軸方向にあってかつ端面２９と交差する方向となる面がキャップ４５と当接されたときに、軸部２８を包囲するキャップ４５を小さくすることができる。すなわち、軸部２８を本体部２２よりも細くしない場合に比べて、キャップ４５を小さくできることからキャップ４５を備えた照明装置およびイメージセンサユニット１０Ａを小型化することができる。
【００５０】
また、本実施形態の第１反射光用導光体２１ａの軸部２８は、軸方向にあってかつ端面２９と交差する方向となる面が、軸部２８を軸方向から見た場合に、２組の平行な辺を有する。具体的には、軸部２８は、第１側面３２ａの辺と第４側面３２ｄの辺との組、および、第２側面３２ｂの辺と第３側面３２ｃの辺との組の２組を有する。この場合、キャップ４５の第３内面４９ｃおよび第４内面４９ｄは複数の組のうち何れか１組の辺を保持することで、第１反射光用導光体２１ａを異なる姿勢に位置決めすることができる。すなわち、キャップ４５は出射面２３から出射される光の方向が異なるように第１反射光用導光体２１ａを位置決めすることができる。
なお、互いに平行な一対の側面の組は２組である場合に限られず、２組以上であってもよい。また、本実施形態では、第１反射光用導光体２１ａの軸部２８は、軸方向から見た場合に、平行な辺の組と、曲線とからなる形状である場合について説明したが、この場合に限られず、三角形、四角形、五角形などの多角形であってもよく、円、楕円などの丸形状であってもよい。
【００５１】
また、本実施形態の第１反射光用導光体２１ａは、当接面との間で面同士が当接される被当接面５２を有するキャップ４５によって位置決めされる。このように、面同士を当接させることで安定して当接することから、第１反射光用導光体２１ａと第１反射光用光源３６ａとの間の間隔が変化してしまうことを防止できる。なお、軸部２８の当接面をキャップ４５の被当接面５２に当接させる場合に限られず、第１反射光用光源３６ａ側の他の部材に当接させてもよい。
【００５２】
また、本実施形態の第１反射光用導光体２１ａの軸部２８は、外周面に互いに平行な一対の側面の組として、第１側面３２ａと第４側面３２ｄの組、および、第２側面３２ｂと第３側面３２ｃの組の２組を有する。この場合、キャップ４５の第３内面４９ｃおよび第４内面４９ｄは複数の組のうち何れか１組の側面を保持することで、第１反射光用導光体２１ａを異なる姿勢に位置決めすることができる。すなわち、キャップ４５は出射面２３から出射される光の方向が異なるように第１反射光用導光体２１ａを位置決めすることができる。
また、第１側面３２ａと第４側面３２ｄとの間の距離Ｗ１および第２側面３２ｂと第３側面３２ｃとの間の距離Ｗ２とが略等しいことから、キャップ４５の第１内面４９ａおよび第２内面４９ｂは何れの組の側面を保持する場合であってもガタなく保持することができる。
なお、互いに平行な一対の側面の組は２組である場合に限られず、２組以上であってもよい。この場合には、一対の側面の全ての組において、側面間の距離が略同一であることが好ましい。
【００５３】
また、本実施形態の第１反射光用導光体２１ａの軸部２８は、外周面のうち第１側面３２ａ、第２側面３２ｂ、第３側面３２ｃおよび第４側面３２ｄ以外の面に、対向する第１曲面３０ａと第２曲面３０ｂとを有する。したがって、第３内面４９ｃおよび第４内面４９ｄが何れの組の側面を保持する場合でも、キャップ４５の第１内面４９ａおよび第２内面４９ｂは第１曲面３０ａおよび第２曲面３０ｂを保持することができる。
また、軸部２８を軸方向から見た場合に、第１曲面３２ａおよび第２曲面３０ｂは共通する仮想円Ｃの一部を構成する円弧である。したがって、第３内面４９ｃおよび第４内面４９ｄが何れの組の側面を保持する場合であってもキャップ４５の第１内面４９ａおよび第２内面４９ｂはガタなく第１曲面３０ａおよび第２曲面３０ｂを保持することができる。
なお、ここでは、第１反射光用導光体２１ａに関する効果について説明したが、第２反射光用導光体２１ｂおよび透過光用導光体２１ｃについても同様である。
【００５４】
（第２の実施形態）
次に、イメージセンサユニットの異なる実施形態について説明する。本実施形態のイメージセンサユニット７０は、第１反射光用導光体２１ａの長手方向における両側に、第１反射光用光源３６ａが配置される。なお、第１の実施形態と同様の構成は、同一符号などを付して適宜、説明を省略する。
図１０は、イメージセンサユニット７０の第１反射光用導光体７１ａを含むように切断した断面図である。第１反射光用導光体７１ａは２つの軸部２８を有する。すなわち、軸部２８は本体部２２の長手方向における一方の端および他方の端に設けられる。２つの軸部２８の構成は、第１の形態の軸部２８と同様である。また、イメージセンサユニット７０は、２つの軸部２８に対応するように、キャップ４５、第１反射光用光源３６ａ、回路基板４１ａ、クッション部材５５およびコート樹脂６８もそれぞれ２つずつ設けられる。ここでは、イメージセンサユニット７０の構成部材は、図１０の一点鎖線に示す直線Ｍに対して対称である。
【００５５】
本実施形態のイメージセンサユニット７０では、第１反射光用導光体７１ａの長手方向における両側に配置された２つの第１反射光用光源３６ａから光が入射されることから、第１反射光用導光体７１ａから出射させる光の照度を向上させることができる。また、第１反射光用導光体７１ａは両側にキャップ４５によって位置決めされることから、位置決めの精度を向上させることができる。
なお、本実施形態では、第１反射光用導光体７１ａについてのみ説明したが、第２反射光用導光体および透過光用導光体についても第１反射光用導光体７１ａと同様に構成することができる。
【００５６】
（第３の実施形態）
次に、上述したイメージセンサユニット１０Ａを画像読取装置としてのフラットベッド方式のスキャナに適用した構成について図１１を参照して説明する。
図１１は、フラットベッド方式のスキャナの構成の一例を示す斜視図である。
スキャナ１１０は、筺体１１１と、被照明体載置部としてのプラテンガラス１１２と、イメージセンサユニット１０Ａと、イメージセンサユニット１０Ａを駆動する駆動部としての駆動機構と、回路基板１１３と、プラテンカバー１１４とを有する。プラテンガラス１１２は、ガラスなどの透明板からなり、筺体１１１の上面に取り付けられる。プラテンカバー１１４は、プラテンガラス１１２に載置された被照明体Ｐを覆うように、筺体１１１に対してヒンジ機構などを介して開閉可能に取り付けられる。イメージセンサユニット１０Ａと、イメージセンサユニット１０Ａを駆動するための駆動機構と、回路基板１１３とは、筺体１１１内に収容される。なお、スキャナ１１０がプラテンガラス１１２を有するため、イメージセンサユニット１０Ａはカバー部材１３を有さなくてもよい。
【００５７】
駆動機構は、保持部材１１５と、ガイドシャフト１１６と、駆動モータ１１７と、ワイヤー１１８とを含む。保持部材１１５は、イメージセンサユニット１０Ａを囲むように保持する。ガイドシャフト１１６は、保持部材１１５をプラテンガラス１１２に沿って読取方向（副走査方向）に移動可能にガイドする。駆動モータ１１７と保持部材１１５とはワイヤー１１８を介して連結されており、駆動モータ１１７の駆動力によってイメージセンサユニット１０Ａを保持する保持部材１１５を副走査方向に移動させる。そして、イメージセンサユニット１０Ａは、駆動モータ１１７の駆動力によって副走査方向に移動しながら、プラテンガラス１１２に載置された被照明体Ｐである原稿などを読取る。このように、イメージセンサユニット１０Ａと被照明体Ｐとを相対的に移動させながら、被照明体Ｐを読取る。
【００５８】
回路基板１１３には、イメージセンサユニット１０Ａが読取った画像に所定の画像処理を施す画像処理回路や、イメージセンサユニット１０Ａを含むスキャナ１１０の各部を制御する制御回路や、スキャナ１１０の各部に電力を供給する電源回路などが構築される。
【００５９】
（第４の実施形態）
次に、上述したイメージセンサユニット１０Ａを画像読取装置としてのシートフィード方式のスキャナに適用した構成について図１２を参照して説明する。
図１２はシートフィールド方式のスキャナの構成の一例を示す断面図である。
スキャナ１２０は、筺体１２１と、イメージセンサユニット１０Ａと、搬送ローラ１２２と、回路基板１２３とを有する。搬送ローラ１２２は、図示を省略した駆動機構によって回転し、被照明体Ｐを挟んで搬送する。回路基板１２３には、イメージセンサユニット１０Ａを含むスキャナ１２０の各部を制御する制御回路や、スキャナ１２０の各部に電力を供給する電源回路などが構築される。
【００６０】
そして、スキャナ１２０は、搬送ローラ１２２によって被照明体Ｐを読取り方向（副走査方向）に搬送しつつ、イメージセンサユニット１０Ａにより被照明体Ｐを読取る。すなわち、イメージセンサユニット１０Ａと被照明体Ｐとを相対的に移動させながら、被照明体Ｐを読取る。
【００６１】
（第５の実施形態）
次に、上述したイメージセンサユニット１０Ａを画像形成装置に適用した構成について図１３および図１４を参照して説明する。
図１３は画像形成装置の外観を示す斜視図である。図１４は画像形成装置の筺体の内部に設けられる画像形成部を抜き出して示した斜視図である。
画像形成装置１３０は、フラットベッド方式のスキャナとインクジェット方式のプリンタとの複合機（ＭＦＰ；Ｍｕｌｔｉｆｕｎｃｔｉｏｎ  Ｐｒｉｎｔｅｒ）である。画像形成装置１３０は、画像を読取る画像読取手段としての画像読取部１３１と、画像を形成する画像形成手段としての画像形成部１３２とを有する。画像形成装置１３０の画像読取部１３１には、イメージセンサユニット１０Ａが組み込まれる。なお、画像形成装置１３０の画像読取部１３１は、上述したスキャナ１１０と共通の構成が適用できる。したがって、スキャナ１１０と共通の構成については説明を省略する。
【００６２】
図１３に示すように、画像形成装置１３０には、操作部１３３が設けられる。操作部１３３には、操作メニューや各種メッセージなどを表示する表示部１３４と、画像形成装置１３０を操作するための各種操作ボタン１３５が設けられる。また、図１４に示すように、画像形成装置１３０の筺体１３６の内部には、画像形成部１３２が設けられる。画像形成部１３２は、搬送ローラ１３７と、ガイドシャフト１３８と、インクジェットカートリッジ１３９と、モータ１４０と、一対のタイミングプーリ１４１とを有する。搬送ローラ１３７は、駆動源の駆動力によって回転し、記録媒体としての印刷用紙Ｒを副走査方向に搬送する。ガイドシャフト１３８は棒状の部材であり、その軸線が印刷用紙Ｒの主走査方向に平行となるように画像形成装置１３０の筺体１３６に固定される。
【００６３】
インクジェットカートリッジ１３９は、ガイドシャフト１３８上をスライドすることによって、印刷用紙Ｒの主走査方向に往復動できる。インクジェットカートリッジ１３９は、例えば、シアンＣ、マゼンタＭ、イエローＹ、黒Ｋのインクを備えたインクタンク１４２（１４２Ｃ，１４２Ｍ，１４２Ｙ，１４２Ｋ）と、インクタンク１４２にそれぞれ設けられた吐出ヘッド１４３（１４３Ｃ，１４３Ｍ，１４３Ｙ，１４３Ｋ）から構成される。一対のタイミングプーリ１４１の一方は、モータ１４０の回転軸に取り付けられる。そして、一対のタイミングプーリ１４１は、印刷用紙Ｒの主走査方向に互いに離れた位置に設けられる。タイミングベルト１４４は、一対のタイミングプーリ１４１に平行掛けに巻き掛けられ、所定の箇所がインクジェットカートリッジ１３９に連結される。
【００６４】
画像形成装置１３０の画像読取部１３１は、イメージセンサユニット１０Ａが読取った画像を、印刷に適した形式の電気信号に変換する。画像形成装置１３０の画像形成部１３２は、画像読取部１３１のイメージセンサユニット１０Ａが変換した電気信号に基づいて、搬送ローラ１３７、モータ１４０、インクジェットカートリッジ１３９を駆動し、印刷用紙Ｒに画像を形成する。また、画像形成装置１３０の画像形成部１３２は、外部から入力された電気信号に基づいて画像を形成することができる。なお、画像形成装置１３０のうち、画像形成部１３２の構成および動作は、従来公知の各種プリンタと同じ構成が適用できる。したがって、詳細な説明は省略する。なお、画像形成部１３２としてインクジェット方式による画像形成装置を説明したが、電子写真方式、熱転写方式、ドットインパクト方式などどのような方式であっても構わない。
【００６５】
以上、本発明の好ましい実施形態について説明したが、本発明はこれらの実施形態に限定されず、その要旨の範囲内で種々の変形および変更が可能であり、各実施形態を組み合せることが可能である。
上述した第１の実施形態では、下側イメージセンサユニット１０Ａおよび上側イメージセンサユニット１０Ｂが画像読取部１１と透過光用照明部１２とを備える場合について説明したが、画像読取部１１または透過光用照明部１２の何れかを省略してもよい。
また、上述した第１の実施形態では、反射光用照明部１１Ａが、第１反射光用導光体２１ａと第２反射光用導光体２１ｂとを備える場合について説明したが、第１反射光用導光体２１ａまたは第２反射光用導光体２１ｂの何れかを省略してもよい。この場合に、省略した導光体に対して光を発光する、第１反射光用光源３６ａあるいは第２反射光用光源３６ｃも省略することができる。
【００６６】
また、上述した第１の実施形態のうち、第２反射光用導光体２１ｂを省略して第１反射光用導光体２１ａと透過光用導光体２１ｃとの２つの導光体を用いて照明装置およびイメージセンサユニットを構成してもよい。また、上述した第１の実施形態のうち、第１反射光用導光体２１ａを省略して第２反射光用導光体２１ｂと透過光用導光体２１ｃとの２つの導光体を用いて照明装置およびイメージセンサユニットを構成してもよい。この場合、２つの導光体はそれぞれキャップ４５によって角度が異なるように保持される。なお、角度が異なるように保持された２つの導光体を用いて照明装置およびイメージセンサユニットを構成する場合、１つは上述した、第１反射光用導光体２１ａ、第２反射光用導光体２１ｂおよび透過光用導光体２１ｃの何れか１つを用い、残りの１つは軸部２８を有さないその他の導光体を用いてもよい。
ここで、その他の導光体を用いた場合の導光体の角度とは、導光体の拡散面の角度をいうものとする。すなわち、第１反射光用導光体２１ａ、第２反射光用導光体２１ｂおよび透過光用導光体２１ｃの何れか１つの拡散面２４の角度とその他の導光体の拡散面の角度とが異なるように保持される。なお、その他の導光体はフレーム１４等に設けられた保持部によって保持される。
【００６７】
また、上述した第１の実施形態では、回路基板４１にクッション部材５５を固定する場合について説明したが、この場合に限られない。クッション部材５５は固定しなくてもよく、フレーム１４の側壁１５ｃ側に固定してもよい。また、図８の二点鎖線で示すように、クッション部材５５は第１反射光用導光体２１ａの他方の端面に配置してもよい。
【符号の説明】
【００６８】
１０：イメージセンサユニット部  １０Ａ：下側イメージセンサユニット  １０Ｂ：上側イメージセンサユニット  １４：フレーム  ２１ａ：第１反射光用導光体  ２１ｂ：第２反射光用導光体  ２１ｃ：透過光用導光体  ２２：本体部  ２８：軸部  ２９：端面  ２３：出射面  ３０ａ：第１曲面  ３０ｂ：第２曲面  ３２ａ：第１側面  ３２ｂ：第２側面  ３２ｃ：第３側面  ３２ｄ：第４側面  ３６ａ：第１反射光用光源  ３６ｂ：第２反射光用光源  ３６ｃ：透過光用光源  ４５：キャップ  ４６：位置決め部  ４８ａ：第１内面  ４８ｂ：第２内面  ４８ｃ：第３内面  ４８ｄ：第４内面  ５１：光源側開口  ５５：クッション部材  ６０：集光体  ６２：センサ基板  ６５：イメージセンサ  ７０：イメージセンサユニット  ７１ａ：第１反射光用導光体  １０１Ａ、１０１Ｂ、１０２Ａ、１０２Ｂ：搬送ローラ  １０３：比較部  １０４：記憶部  １００：画像読取装置（紙葉類識別装置）１１０、１２０：スキャナ（画像読取装置）  １３０：画像形成装置  Ｐ：被照明体  Ｓ：紙幣
【図１】
2018093293.tif 000003
【図２】
2018093293.tif 000004
【図３】
2018093293.tif 000005
【図４】
2018093293.tif 000006
【図５】
2018093293.tif 000007
【図６】
2018093293.tif 000008
【図７】
2018093293.tif 000009
【図８】
2018093293.tif 000010
【図９】
2018093293.tif 000011
【図１０】
2018093293.tif 000012
【図１１】
2018093293.tif 000013
【図１２】
2018093293.tif 000014
【図１３】
2018093293.tif 000015
【図１４】
2018093293.tif 000016